(57)【要約】【課題】駆動電流が供給される発光素子の発光又は非発光に起因する電位変動の影響を抑制し、表示品位を向上する。【解決手段】電気光学装置は、複数の走査線と複数のデータ線とが交差する各交差位置に対応して配置され、各々が駆動電流によって発光する発光素子を備えた複数の画素と、前記発光素子を発光又は非発光となるように制御する制御回路とを備え、前記制御回路は、非選択の走査線に対応する画素の発光素子を発光又は非発光の一方から他方へ遷移させる場合、当該発光素子を前記遷移期間において遷移させる。【選択図】図４
2018081178.tif 000002
【特許請求の範囲】
【請求項１】
複数の走査線と複数のデータ線とが交差する各交差位置に対応して配置され、各々が駆動電流によって発光する発光素子を備えた複数の画素と、
前記発光素子を発光させ又は非発光となるように制御する制御回路とを備え、  
前記複数の走査線のうちの１つを選択してから次の走査線を選択するまでの水平走査期間のうち、当該選択した走査線に対応する画素へのデータ書込に関する動作期間を除いた期間を遷移期間としたとき、
前記制御回路は、前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、当該発光素子の状態を前記遷移期間において遷移させる、
ことを特徴とする電気光学装置。
【請求項２】
前記複数の画素は、前記発光素子へ供給する駆動電流の電流経路に設けられたスイッチング素子を有し、
前記制御回路は、
前記発光素子を発光させる場合に前記スイッチング素子をオンさせ、前記発光素子を非発光とする場合に前記スイッチング素子をオフさせ、
非選択の走査線に対応する画素の発光素子の状態を発光又は非発光の一方から他方へ遷移させる場合、当該画素のスイッチング素子を前記遷移期間においてオン又はオフの一方から他方へ遷移させる、
請求項１に記載の電気光学装置。
【請求項３】
前記制御回路は、
前記動作期間において前記スイッチング素子をオンさせ、前記遷移期間において前記スイッチング素子をオンからオフに切り換えた後にオンに戻す第１態様と、
前記動作期間において前記スイッチング素子をオフさせ、前記遷移期間において前記スイッチング素子をオフからオンに切り換えた後にオフに戻す第２態様とを、
画面全体の平均輝度に応じて切り換える、
請求項２に記載の電気光学装置。
【請求項４】
前記制御回路は、
１フレーム期間を構成する複数の水平走査期間のうち前記発光素子を発光させる水平走査期間を特定する第１処理と、前記第１処理によって特定された水平走査期間において、前記スイッチング素子をオンさせる期間を特定する第２処理とを実行し、
前記第２処理において、前記スイッチング素子をオフからオンに遷移させるタイミングと前記スイッチング素子をオンからオフに遷移させるタイミングを、前記遷移期間中に発生させる、
請求項２または３に記載の電気光学装置。
【請求項５】
複数の走査線と複数のデータ線とが交差する各交差位置に対応して配置され、各々が駆動電流によって発光する発光素子と、前記駆動電流を前記発光素子へ供給する電流経路に設けられたスイッチング素子とを備えた複数の画素と、
前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、記複数の画素を複数のグループにグループ分けしたグループ毎に前記スイッチング素子をオン又はオフの一方から他方へ遷移させるタイミングを異ならせる制御回路と、
を備える電気光学装置。
【請求項６】
請求項１乃至請求項５のいずれか１項に記載の電気光学装置を備える電子機器。
【請求項７】
複数の走査線と複数のデータ線とが交差する各交差位置に対応して配置され、各々が駆動電流によって発光する発光素子を備えた複数の画素を有する電気光学装置の駆動方法であって、
前記発光素子を発光させ又は非発光となるように制御し、  
前記複数の走査線のうちの１つを選択してから次の走査線を選択するまでの水平走査期間のうち、当該選択した走査線に対応する画素へのデータ書込に関する動作期間を除いた期間を遷移期間としたとき、
前記発光素子を発光させる水平走査期間において、当該発光素子を発光させる発光時間と非発光とする非発光時間との割合を制御し、
非選択の走査線に対応する画素の発光素子の状態を発光又は非発光の一方から他方へ遷移させる場合、当該発光素子の状態を前記遷移期間において遷移させる、
ことを特徴とする電気光学装置の駆動方法。
【請求項８】
複数の走査線と複数のデータ線とが交差する各交差位置に対応して配置され、各々が駆動電流によって発光する発光素子と、前記駆動電流を前記発光素子へ供給する電流経路に設けられたスイッチング素子とを備えた複数の画素を有する電気光学装置の駆動方法であって、
前記発光素子を発光させる水平走査期間において、当該発光素子を発光させる発光時間と非発光とする非発光時間との割合を制御し、
非選択の走査線に対応する画素の発光素子の状態を発光又は非発光の一方から他方へ遷移させる場合、記複数の画素を複数のグループにグループ分けしたグループ毎に前記スイッチング素子をオン又はオフの一方から他方へ遷移させるタイミングを異ならせる、
電気光学装置の駆動方法。
【発明の詳細な説明】
【技術分野】
【０００１】
本発明は、電気光学装置の駆動方法に関する。
【背景技術】
【０００２】
近年、有機発光ダイオード（以下、ＯＬＥＤ（Organic Light Emitting Diode）という）素子などの発光素子を用いた電気光学装置が各種提案されている。この電気光学装置の一般的な構成では、走査線とデータ線との交差に対応して、発光素子やトランジスターなどを含む画素回路が、表示すべき画像の画素に対応して設けられる。このような構成の電気光学装置における輝度の制御方法としては、発光素子の発光時間を変更することにより平均輝度を調整する技術が挙げられる。
【０００３】
例えば、特許文献１には、発光素子に供給する駆動電流の電流経路に設けられた制御トランジスターをオン又はオフとなるように制御することにより、画素が選択されてから次に選択されるまでの期間おいて、駆動電流の遮断又は供給を繰り返すことで平均輝度を調整し、かつ当該画素が非発光となる期間（黒表示の期間）を分散させて表示画像のちらつきの低減を図ることが記載されている。
【先行技術文献】
【特許文献】
【０００４】
【特許文献１】特開２００４−１９１７５２号公報
【発明の概要】
【発明が解決しようとする課題】
【０００５】
しかしながら、発光素子の発光時間を変更することにより平均輝度を調整する技術には、表示画像のちらつきの他にも画像の表示品位の向上を妨げる問題点があった。例えば、表示領域が大きい場合、同じタイミングで多数の制御トランジスターの導通状態の切換が発生する。この結果、電源の電位変動が大きくなり、画素回路動作に影響を及ぼすことがあった。特に、データ電圧の書込中に制御トランジスターの導通状態の切換が発生すると、電源の電位変動の影響を受けてデータ電圧を画素に正確に書き込むことが難しくなり、表示ムラが生じるといった問題もあった。
本発明は上述した事情に鑑みてなされたものであり、発光素子の発光又は非発光に起因する電源の電位変動の影響を抑制し、表示品位を向上することを解決課題の一つとする。
【課題を解決するための手段】
【０００６】
上記課題を解決するために、本発明の一態様に係る電気光学装置は、複数の走査線と複数のデータ線とが交差する各交差位置に対応して配置され、各々が駆動電流によって発光する発光素子を備えた複数の画素と、前記発光素子を発光させ又は非発光となるように制御する制御回路とを備え、前記複数の走査線のうちの１つを選択してから次の走査線を選択するまでの水平走査期間のうち、当該選択した走査線に対応する画素へのデータ書込に関する動作期間を除いた期間を遷移期間としたとき、前記制御回路は、前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、当該発光素子の状態を前記遷移期間において遷移させる。
【０００７】
この態様によれば、何れかの走査線に対応する画素へのデータの書き込みが行われている間に、発光素子の状態が発光から非発光、または非発光から発光に切り替えられることはない。このため、本態様によれば、発光素子の状態が発光又は非発光の一方から他方へ遷移することによって電源電位が変動しても、データ書込の際のデータ電圧のずれの発生が回避され、当該データ電圧のずれに起因する表示ムラの発生を抑制することができる。よって、本態様によれば、発光素子の発光又は非発光に起因する電源の電位変動の影響を抑制し、表示品位を向上することができる。
【０００８】
より好ましい態様においては、前記複数の画素は、前記発光素子へ供給する駆動電流の電流経路に設けられたスイッチング素子を有し、前記制御回路は、前記発光素子を発光させる場合に前記スイッチング素子をオンさせ、前記発光素子を非発光とする場合に前記スイッチング素子をオフさせ、非選択の走査線に対応する画素の発光素子の状態を発光又は非発光の一方から他方へ遷移させる場合、当該画素のスイッチング素子を前記遷移期間においてオン又はオフの一方から他方へ遷移させることが好ましい。
この態様によれば、スイッチング素子のオン又はオフを制御することによって発光素子へ駆動電流を供給するか否かを制御することができる。しかも、スイッチング素子の状態の遷移は、遷移期間に限られるので、発光素子の発光又は非発光に起因する電源の電位変動の影響を抑制し、表示品位を向上することができる。
【０００９】
上述した電気光学装置の一態様において、前記制御回路は、前記動作期間において前記スイッチング素子をオンさせ、前記遷移期間において前記スイッチング素子をオンからオフに切り換えた後にオンに戻す第１態様と、前記動作期間において前記スイッチング素子をオフさせ、前記遷移期間において前記スイッチング素子をオフからオンに切り換えた後にオフに戻す第２態様とを、画面全体の平均輝度に応じて切り換える、ことが好ましい。
この態様によれば、動作期間においてスイッチング素子をオンする第１態様と、動作期間においてスイッチング素子をオフする第２態様を平均輝度に応じて切り換えることができるので、画面全体の明るさを広範囲に調整することが可能となる。
【００１０】
上述した電気光学装置の一態様において、前記制御回路は、１フレーム期間を構成する複数の水平走査期間のうち前記発光素子を発光させる水平走査期間を特定する第１処理と、前記第１処理によって特定された水平走査期間において、前記スイッチング素子をオンさせる期間を特定する第２処理とを実行し、前記第２処理において、前記スイッチング素子をオフからオンに遷移させるタイミングと前記スイッチング素子をオンからオフに遷移させるタイミングを、前記遷移期間中に発生させる、ことが好ましい。
この態様によれば、第１処理と第２処理の各々が独立して、画面全体の平均輝度を調整することができる。
【００１１】
本発明に係る他の電気光学装置の一態様は、複数の走査線と複数のデータ線とが交差する各交差位置に対応して配置され、各々が駆動電流によって発光する発光素子と、前記駆動電流を前記発光素子へ供給する電流経路に設けられたスイッチング素子とを備えた複数の画素と、前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、記複数の画素を複数のグループにグループ分けしたグループ毎に前記スイッチング素子をオン又はオフの一方から他方へ遷移させるタイミングを異ならせる制御回路と、を備える。
この態様によれば、スイッチング素子を同じタイミングで一斉にオンからオフ又はオフからオンに切り替える態様に比較して、電源の電位変動のピークが分散される。この結果、電源の電位変動の影響を抑制し、表示品位を向上させることができる。なお、遷移期間においてスイッチング素子をオン又はオフの一方から他方へ遷移させることが好ましい。
【００１２】
上記課題を解決するために、本発明の一態様に係る電子機器は、上記各態様のいずれかに係る電気光学装置を備えることを特徴とする。このような電子機器としては、ヘッドマントディスプレイ、プロジェクタ等が該当する。
【００１３】
上記課題を解決するために、本発明の一態様に係る電気光学装置の駆動方法は、複数の走査線と複数のデータ線とが交差する各交差位置に対応して配置され、各々が駆動電流によって発光する発光素子を備えた複数の画素を有する電気光学装置を駆動する方法であって、前記発光素子を発光させ又は非発光となるように制御し、前記複数の走査線のうちの１つを選択してから次の走査線を選択するまでの水平走査期間のうち、当該選択した走査線に対応する画素へのデータ書込に関する動作期間を除いた期間を遷移期間としたとき、前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、当該発光素子の状態を前記遷移期間において遷移させる。
この態様によれば、発光素子の状態が発光又は非発光の一方から他方へ遷移することによって電源電位が変動しても、データ書込の際のデータ電圧のずれの発生が回避され、当該データ電圧のずれに起因する表示ムラの発生を抑制することができる。
【００１４】
上記課題を解決するために、本発明の他の態様に係る電気光学装置の駆動方法は、複数の走査線と複数のデータ線とが交差する各交差位置に対応して配置され、各々が駆動電流によって発光する発光素子と、前記駆動電流を前記発光素子へ供給する電流経路に設けられたスイッチング素子とを備えた複数の画素を有する電気光学装置を駆動する方法であって、前記発光素子を発光させる水平走査期間において、当該発光素子を発光させる発光時間と非発光とする非発光時間との割合を制御し、非選択の走査線に対応する画素の発光素子の状態を発光又は非発光の一方から他方へ遷移させる場合、記複数の画素を複数のグループにグループ分けしたグループ毎に前記スイッチング素子をオン又はオフの一方から他方へ遷移させるタイミングを異ならせる、ことを特徴とする。
この態様によれば、スイッチング素子を同じタイミングで一斉にオンからオフ又はオフからオンに切り替える態様に比較して、電源の電位変動のピークが分散される。この結果、電源の電位変動の影響を抑制し、表示品位を向上させることができる。
【図面の簡単な説明】
【００１５】
【図１】本発明の第1実施形態に係る電気光学装置の構成を示す斜視図である。
【図２】同電気光学装置の構成を示すブロック図である。
【図３】同電気光学装置の画素回路の構成を示す回路図である。
【図４】同電気光学装置の動作を示すタイミングチャートである。
【図５】同電気光学装置の動作説明図である。
【図６】同電気光学装置の動作説明図である。
【図７】同電気光学装置の動作説明図である。
【図８】同電気光学装置の動作説明図である。
【図９】同電気光学装置の輝度制御のためのデューティ制御の説明図である。
【図１０】Ｖ同期デューティ制御の説明図である。
【図１１】Ｈ同期デューティ制御の説明図である。
【図１２】本発明の第２実施形態に係る電気光学装置の輝度制御の説明図である。
【図１３】本発明の第２実施形態に係る電気光学装置の輝度制御の説明図である。
【図１４】ＨＭＤの外観構成を示す図である。
【図１５】ＨＭＤの光学構成を示す図である。
【発明を実施するための形態】
【００１６】
＜第１実施形態＞
図１は、本発明の実施形態に係る電気光学装置１の構成を示す斜視図である。
電気光学装置１は、例えばヘッドマウント・ディスプレイにおいて画像を表示するマイクロ・ディスプレイである。電気光学装置１の詳細については後述するが、複数の画素回路や当該画素回路を駆動する駆動回路などが例えばシリコン基板に形成された有機ＥＬ装置であり、画素回路には、発光素子の一例であるＯＬＥＤが用いられている。
電気光学装置１は、表示パネル１０と制御回路３を備える。表示パネル１０は、表示部で開口する枠状のケース７２に収納されるとともに、ＦＰＣ（Flexible Printed Circuits）基板７４の一端が接続されている。ＦＰＣ基板７４には、半導体チップの制御回路３が、ＣＯＦ（Chip On Film）技術によって実装されるとともに、複数の端子７６が設けられて、図示省略された上位回路に接続される。
【００１７】
図２は、第１実施形態に係る電気光学装置１の構成を示す図である。上述のとおり、電気光学装置１は、表示パネル１０と、制御回路３とを備える。
制御回路３には、図示省略された上位回路よりデジタルの画像データＶdataが同期信号に同期して供給される。ここで、画像データＶdataとは、表示パネル１０（厳密には、後述する表示部１００）で表示すべき画像の画素の階調レベルを例えば８ビットで規定するデータである。また、同期信号とは、垂直同期信号、水平同期信号、及び、ドットクロック信号を含む信号である。
制御回路３は、同期信号に基づいて、各種制御信号を生成し、これを表示パネル１０に対して供給する。具体的には、制御回路３は制御信号Ｃtrと、正論理の制御信号Ｇiniと、これと論理反転の関係にある負論理の制御信号／Ｇiniと、制御信号Ｓel(1)、Ｓel(2)、Ｓel(3)と、これらの信号に対して論理反転の関係にある制御信号／Ｓel(1)、／Ｓel(2)、／Ｓel(3)と、を供給する。
ここで、制御信号Ｃtrとは、パルス信号や、クロック信号、イネーブル信号など、複数の信号を含む信号である。
なお、制御信号Ｓel(1)、Ｓel(2)、Ｓel(3)を、制御信号Selと総称し、制御信号／Ｓel(1)、／Ｓel(2)、／Ｓel(3)を、制御信号／Ｓelと総称する場合がある。
また、制御回路３は電圧生成回路を含む。電圧生成回路は、表示パネル１０に対して、各種電位を供給する。具体的には、制御回路３は、表示パネル１０に対して電位Ｖorst、初期電位Ｖini、及び電位Ｖref等を供給する。
【００１８】
さらに、制御回路３は、画像データＶdataに基づいて、アナログの画像信号Ｖidを生成する。具体的には、制御回路３には、画像信号Ｖidの示す電位、及び、表示パネル１０が備える発光素子（後述するＯＬＥＤ１３０）の輝度を対応付けて記憶したルックアップテーブルが設けられる。そして、制御回路３は、当該ルックアップテーブルを参照することで、画像データＶdataに規定される発光素子の輝度に対応した電位を示す画像信号Ｖidを生成し、これを表示パネル１０に対して供給する。
【００１９】
図２に示すように、表示パネル１０は、表示部１００と、これを駆動する駆動回路（データ転送線駆動回路５及び走査線駆動回路２０）とを備える。
表示部１００には、表示すべき画像の画素に対応した画素回路１１０がマトリクス状に配列されている。詳細には、表示部１００において、ｍ行の走査線１２が図において横方向に延在して設けられ、また、３列毎にグループ化された（３ｎ）列のデータ線１４が図において縦方向に延在し、かつ、各走査線１２と互いに電気的な絶縁を保って設けられている。そして、ｍ行の走査線１２と（３ｎ）列のデータ線１４との交差部に対応して画素回路１１０が設けられている。このため、本実施形態において画素回路１１０は、縦ｍ行×横（３ｎ）列でマトリクス状に配列されている。
【００２０】
ここで、ｍ、ｎは、いずれも自然数である。走査線１２および画素回路１１０のマトリクスのうち、行（ロウ）を区別するために、図において上から順に１、２、３、…、（ｍ−１）、ｍ行と呼ぶ場合がある。同様にデータ線１４および画素回路１１０のマトリクスの列（カラム）を区別するために、図において左から順に１、２、３、…、（３ｎ−１）、（３ｎ）列と呼ぶ場合がある。また、データ線１４のグループを一般化して説明するために、１以上ｎ以下の整数ｊを用いると、左から数えてｊ番目のグループには、（３ｊ−２）列目、（３ｊ−１）列目および（３ｊ）列目のデータ線１４が属している、ということになる。
なお、同一行の走査線１２と同一グループに属する３列のデータ線１４との交差に対応した３つの画素回路１１０は、それぞれＲ（赤）、Ｇ（緑）、Ｂ（青）の画素に対応して、これらの３画素が表示すべきカラー画像の１ドットを表現する。すなわち、本実施形態では、ＲＧＢに対応したＯＬＥＤの発光によって１ドットのカラーを加法混色で表現する構成となっている。
【００２１】
本実施形態では、列毎に給電線１６（第３給電線）がデータ線１４に沿ってそれぞれ設けられている。各給電線１６には電位としての電位Ｖorstが共通に給電されている。また、列毎に保持容量５０が設けられている。詳細には、保持容量の一端はデータ線１４に接続され、他端が給電線１６に接続されている。このため、保持容量５０は、データ線１４の電位を保持する第２保持容量として機能する。
なお、保持容量５０については、データ線１４を構成する配線と、給電線１６を構成する配線とで、絶縁体（誘電体）を挟持することによって形成される構成が好ましい。
また、保持容量５０については、図２では表示部１００の外側に設けられているが、これはあくまでも等価回路であり、表示部１００の内側に、または、内側から外側にわたって設けられも良いのはもちろんである。また、図２では省略しているが、保持容量５０の容量をＣdtとする。
【００２２】
データ転送線駆動回路５は、デマルチプレクサ３０、データ転送回路４０、データ信号供給回路７０を備える。データ信号供給回路７０は、デマルチプレクサ３０での選択タイミングに合わせてデータ信号Ｖd(1)、Ｖd(2)、…、Ｖd(n)を、１、２、…、ｎ番目のブロックに対応して出力する。なお、データ信号Ｖd(1)〜Ｖd(n)が取り得る電位の最高値をＶmaxとし、最低値をＶminとする。
【００２３】
走査線駆動回路２０は、フレームの期間にわたって走査線１２を１行毎に順番に走査するための走査信号を、制御信号Ｃtrにしたがって生成するものである。ここで、１、２、３、…、（ｍ−１）、ｍ行目の走査線１２に供給される走査信号を、それぞれＧwr(1)、Ｇwr(2)、Ｇwr(3)、…、Ｇwr(m-1)、Ｇwr(m)と表記している。
なお、走査線駆動回路２０は、走査信号Ｇwr(1)〜Ｇwr(m)のほかにも、当該走査信号に同期した各種の制御信号を行毎に生成して表示部１００に供給するが、図２においては図示を省略している。また、１フレーム期間１Fとは、電気光学装置１が１カット（コマ）分の画像を表示するのに要する期間をいい、例えば同期信号に含まれる垂直同期信号の周波数が１２０Ｈｚであれば、その１周期分の８．３ミリ秒の期間である。
【００２４】
デマルチプレクサ３０は、列毎に設けられたトランスミッションゲート３４の集合体であり、各グループを構成する３列に、データ信号を順番に供給するものである。
ここで、ｊ番目のグループに属する（３ｊ−２）、（３ｊ−１）、（３ｊ）列に対応したトランスミッションゲート３４の入力端は互いに共通接続されて、その共通端子にそれぞれデータ信号Ｖd(j)が供給される。
ｊ番目のグループにおいて左端列である（３ｊ−２）列に設けられたトランスミッションゲート３４は、制御信号Ｓel(1)がＨレベルであるとき（制御信号／Ｓel(1)がＬレベルであるとき）にオン（導通）する。同様に、ｊ番目のグループにおいて中央列である（３ｊ−１）列に設けられたトランスミッションゲート３４は、制御信号Ｓel(2)がＨレベルであるとき（制御信号／Ｓel(2)がＬレベルであるとき）にオンし、ｊ番目のグループにおいて右端列である（３ｊ）列に設けられたトランスミッションゲート３４は、制御信号Ｓel(3)がＨレベルであるとき（制御信号／Ｓel(3)がＬレベルであるとき）にオンする。
【００２５】
データ転送回路４０は、保持容量４４とＰチャネルＭＯＳ型のトランジスター４５とＮチャネルＭＯＳ型のトランジスター４３との組を列毎に有し、各列のトランスミッションゲート３４の出力端から出力されるデータ信号の電位をシフトするものである。ここで、保持容量４４の一端は、対応する列のデータ線１４とトランジスター４５のドレインノードとに接続される一方、保持容量４４の他端は、トランスミッションゲート３４の出力端とトランジスター４３のドレインノードとに接続される。このため、保持容量４４は、一端がデータ線１４に接続された第１保持容量として機能する。図２では省略しているが、保持容量４４の容量をＣrf1とする。
【００２６】
各列のトランジスター４５のソースノードは、初期電位として電位Ｖiniを給電する給電線６１に各列にわたって共通に接続され、ゲートノードには、制御信号／Ｇiniが各列にわたって共通に供給される。このため、トランジスター４５は、データ線１４と給電線６１とを、制御信号／ＧiniがＬレベルのときに電気的に接続し、制御信号／ＧiniがＨレベルのときに電気的に非接続とする構成となっている。
また、各列のトランジスター４３のソースノードは、所定電位として電位Ｖrefを給電する給電線６２に各列にわたって共通に接続され、ゲートノードには、制御信号Ｇrefが各列にわたって共通に供給される。このため、トランジスター４３は、保持容量４４の他端であるノードｈと給電線６２とを、制御信号ＧrefがＨレベルのときに電気的に接続し、制御信号ＧrefがＬレベルのときに電気的に非接続とする構成となっている。
【００２７】
本実施形態では、便宜的に走査線駆動回路２０、デマルチプレクサ３０およびデータ転送回路４０に分けているが、これらについては、画素回路１１０を駆動する駆動回路としてまとめて概念することが可能である。
【００２８】
図３を参照して画素回路１１０について説明する。各画素回路１１０については電気的にみれば互いに同一構成なので、ここでは、ｉ行目であって、ｊ番目のグループのうち左端列の（３ｊ−２）列目に位置するｉ行（３ｊ−２）列の画素回路１１０を例にとって説明する。
なお、ｉは、画素回路１１０が配列する行を一般的に示す場合の記号であって、１以上ｍ以下の整数である。
【００２９】
図３に示されるように、画素回路１１０は、ＰチャネルＭＯＳ型のトランジスター１２１〜１２５と、ＯＬＥＤ１３０と、保持容量１３２とを含む。この画素回路１１０には、走査信号Ｇwr(i)、制御信号Ｇel(i)、Ｇcmp(i)、Ｇorst(i)が供給される。ここで、走査信号Ｇwr(i)、制御信号Ｇel(i)、Ｇcmp(i)、Ｇorst(i)は、それぞれｉ行目に対応して走査線駆動回路２０によって供給されるものである。このため、走査信号Ｇwr(i)、制御信号Ｇel(i)、Ｇcmp(i)、Ｇorst(i)は、ｉ行目であれば、着目している（３ｊ−２）列以外の他の列の画素回路にも共通に供給される。
【００３０】
ｉ行（３ｊ−２）列の画素回路１１０におけるトランジスター１２２にあっては、ゲートノードがｉ行目の走査線１２に接続され、ドレインまたはソースノードの一方が（３ｊ−２）列目のデータ線１４に接続され、他方がトランジスター１２１におけるゲートノードｇと、保持容量１３２の一端と、トランジスター１２３のドレインノードとにそれぞれ接続されている。ここで、トランジスター１２１のゲートノードについては、他のノードと区別するためにｇと表記する。
トランジスター１２１にあっては、ソースノードが給電線１１６に接続され、ドレインノードがトランジスター１２３のソースノードと、トランジスター１２４のソースノードとにそれぞれ接続されている。ここで、給電線１１６には、画素回路１１０において電源の高位側となる電位Ｖelが給電される。
トランジスター１２３にあって、ゲートノードには制御信号Ｇcmp(i)が供給される。
トランジスター１２４にあって、ゲートノードには制御信号Ｇel(i)が供給され、ドレインノードがトランジスター１２５のソースノードとＯＬＥＤ１３０のアノードとにそれぞれ接続されている。トランジスター１２４は、ＯＬＥＤ１３０へ供給する駆動電流の電流経路に設けられたスイッチング素子として機能する。そして、ＯＬＥＤ１３０を発光させる場合にトランジスター１２４をオンさせ、ＯＬＥＤ１３０を非発光とする場合にトランジスター１２４をオフさせる。
トランジスター１２５にあって、ゲートノードにはｉ行目に対応した制御信号Ｇorst(i)が供給され、ドレインノードは（３ｊ−２）列目に対応した給電線１６に接続されて電位Ｖorstに保たれている。
【００３１】
保持容量１３２の他端は、給電線１１６に接続される。このため、保持容量１３２は、トランジスター１２１のソース・ドレイン間の電圧を保持することになる。ここで、保持容量１３２の容量をＣpixと表記したとき、保持容量５０の容量Ｃdtと、保持容量４４の容量Ｃrf1と、保持容量１３２の容量Ｃpixとは、
Ｃdt＞Ｃrf1＞＞Ｃpix
となるように設定される。
すなわち、ＣdtはＣrf1よりも大きく、ＣpixはＣdtおよびＣrf1よりも十分に小さくなるように設定される。
なお、保持容量１３２としては、トランジスター１２１のゲートノードｇに寄生する容量を用いても良いし、シリコン基板において互いに異なる導電層で絶縁層を挟持することによって形成される容量を用いても良い。
【００３２】
本実施形態において電気光学装置１はシリコン基板に形成されるので、トランジスター１２１〜１２５の基板電位については電位Ｖelとしている。
【００３３】
ＯＬＥＤ１３０のアノードは、画素回路１１０毎に個別に設けられる画素電極である。これに対して、ＯＬＥＤ１３０のカソードは、画素回路１１０のすべてにわたって共通の共通電極１１８であり、画素回路１１０において電源の低位側となる電位Ｖctに保たれている。
ＯＬＥＤ１３０は、上記シリコン基板において、アノードと光透過性を有するカソードとで白色有機ＥＬ層を挟持した素子である。そして、ＯＬＥＤ１３０の出射側（カソード側）にはＲＧＢのいずれかに対応したカラーフィルターが重ねられる。
このようなＯＬＥＤ１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００３４】
＜第１実施形態の動作＞
図４を参照して電気光学装置１の動作について説明する。図４は、電気光学装置１における各部の動作を説明するためのタイミングチャートである。
この図に示されるように、走査信号Ｇwr(1)〜Ｇwr(m)が順次Ｌレベルに切り替えられて、１フレーム期間１Fにおいて１〜ｍ行目の走査線１２が１水平走査期間（Ｈ）毎に順番に走査される。即ち、複数の走査線１２のうちの１つを選択してから次の走査線１２を選択するまでの期間が水平走査期間となる。この例では、１フレーム期間がｍ個の水平走査期間から構成される。
１水平走査期間（Ｈ）での動作は、各行の画素回路１１０にわたって共通である。そこで以下については、ｉ行目が水平走査される水平走査期間において、特にｉ行（３ｊ−２）列の画素回路１１０について着目して動作を説明する。
【００３５】
本実施形態ではｉ行目の走査期間は、大別すると、図４において（ｂ）で示される初期化期間と（ｃ）で示される補償期間と（ｄ）で示される書込期間とに分けられる。そして、（ｄ）の書込期間の後、（ａ）で示される発光期間となり、１フレームの期間経過後に再びｉ行目の走査期間に至る。このため、時間の順でいえば、（発光期間）→初期化期間→補償期間→書込期間→（発光期間）というサイクルの繰り返しとなる。
ここで、初期化期間の開始から書込期間の終了までの期間は、選択した走査線１２に対応する画素へのデータ書込に関する動作期間である。動作期間は、データを書き込む期間及びデータを書き込むために必要な動作を実行する期間であり、初期化期間、補償期間、及び書込期間は例示である。１水平走査期間（Ｈ）は、動作期間と遷移期間とからなる。
そして、本実施形態では、画面全体の輝度を調整するために、制御回路３は、遷移期間においてＯＬＥＤ１３０の状態を発光又は非発光の一方から他方へ遷移するように制御している。
【００３６】
＜発光期間＞
説明の便宜上、初期化期間の前提となる発光期間から説明する。図４に示されるように、ｉ行目の発光期間では、走査信号Ｇwr(i)がＨレベルであり、制御信号Ｇel(i)はＬレベルである。また、論理信号である制御信号Ｇel(i)、Ｇcmp(i)、Ｇorst(i)のうち、制御信号Ｇel(i)がＬレベルであり、制御信号Ｇcmp(i)、Ｇorst(i)がＨレベルである。
このため、図５に示されるようにｉ行（３ｊ−２）列の画素回路１１０においては、トランジスター１２４がオンする一方、トランジスター１２２、１２３、１２５がオフする。したがって、トランジスター１２１は、ゲート・ソース間の電圧Ｖgsに応じた電流ＩdsをＯＬＥＤ１３０に供給する。後述するように、本実施形態において発光期間での電圧Ｖgsは、トランジスター１２１の閾値電圧から、データ信号の電位に応じてレベルシフトした値である。このため、ＯＬＥＤ１３０には、階調レベルに応じた電流がトランジスター１２１の閾値電圧を補償した状態で供給されることになる。
【００３７】
なお、ｉ行目の発光期間は、ｉ行目以外が水平走査される期間であるから、データ線１４の電位は適宜変動する。ただし、ｉ行目の画素回路１１０においては、トランジスター１２２がオフしているので、ここでは、データ線１４の電位変動を考慮していない。
また、図５においては、動作説明で重要となる経路を太線で示している（以下の図６〜図８においても同様である）。
【００３８】
＜初期化期間＞
次にｉ行目の水平走査期間に至ると、まず、（ｂ）の初期化期間が開始する。初期化期間では、発光期間と比較して、制御信号Ｇel(i)がＨレベルに、制御信号Ｇorst(i)がＬレベルに、それぞれ変化する。
このため、図６に示されるように、ｉ行（３ｊ−２）列の画素回路１１０においてはトランジスター１２４がオフし、トランジスター１２５がオンする。これによってＯＬＥＤ１３０に供給される電流の経路が遮断されるとともに、ＯＬＥＤ１３０のアノードが電位Ｖorstにリセットされる。
ＯＬＥＤ１３０は、上述したようにアノードとカソードとで有機ＥＬ層を挟持した構成であるので、アノード・カソードの間には、図において破線で示されるように容量Ｃoledが並列に寄生する。発光期間においてＯＬＥＤ１３０に電流が流れていたときに、当該ＯＬＥＤ１３０のアノード・カソード間の両端電圧が当該容量Ｃoledによって保持されるが、この保持電圧は、トランジスター１２５のオンによってリセットされる。このため、本実施形態では、後の発光期間においてＯＬＥＤ１３０に再び電流が流れるときに、当該容量Ｃoledで保持されている電圧の影響を受けにくくなる。
【００３９】
詳細には、例えば高輝度の表示状態から低輝度の表示状態に転じるときに、リセットしない構成であると、輝度が高い（大電流が流れた）ときの高電圧が保持されてしまうので、次に、小電流を流そうとしても、過剰な電流が流れてしまって、低輝度の表示状態にさせることができなくなる。これに対して、本実施形態では、トランジスター１２５のオンによってＯＬＥＤ１３０のアノードの電位がリセットされるので、低輝度側の再現性が高められることになる。
なお、本実施形態において、電位Ｖorstについては、当該電位Ｖorstと共通電極１１８の電位Ｖctとの差がＯＬＥＤ１３０の発光閾値電圧を下回るように設定される。このため、初期化期間（次に説明する補償期間および書込期間）において、ＯＬＥＤ１３０はオフ（非発光）状態である。
【００４０】
一方、初期化期間では、制御信号／ＧiniがＬレベルになり、制御信号ＧrefがＨレベルになるので、データ転送回路４０においては、図６に示されるようにトランジスター４５、４３がそれぞれオンする。このため、保持容量４４の一端であるデータ線１４は電位Ｖiniに、保持容量４４の他端であるノードｈは電位Ｖrefに、それぞれ初期化される。
【００４１】
本実施形態において電位Ｖiniについては、（Ｖel−Ｖini）がトランジスター１２１の閾値電圧｜Ｖth｜よりも大きくなるように設定される。なお、トランジスター１２１はＰチャネル型であるので、ソースノードの電位を基準とした閾値電圧Ｖthは負である。そこで、高低関係の説明で混乱が生じるのを防ぐために、閾値電圧については、絶対値の｜Ｖth｜で表し、大小関係で規定することにする。
また、本実施形態において電位Ｖrefについては、データ信号Ｖd(1)〜Ｖd(n)が取り得る電位に対して、後の書込期間においてノードｈの電位が上昇変化するような値に、例えば最低値Ｖminよりも低くなるように設定される。
【００４２】
＜補償期間＞
ｉ行目の水平走査期間では、次に（ｃ）の補償期間となる。補償期間では初期化期間と比較して、走査信号Ｇwr(i)および制御信号Ｇcmp(i)がＬレベルとなる。一方、補償期間では、制御信号ＧrefがＨレベルに維持された状態で制御信号／ＧiniがＨレベルになる。
このため、図７に示されるように、データ転送回路４０においては、トランジスター４３がオンした状態でトランジスター４５がオフすることによって、ノードｈが電位Ｖrefに固定される。一方、ｉ行（３ｊ−２）列の画素回路１１０ではトランジスター１２２がオンすることによって、ゲートノードｇがデータ線１４に電気的に接続されるので、補償期間の開始当初においてゲートノードｇは電位Ｖiniとなる。
【００４３】
補償期間においてトランジスター１２３がオンするので、トランジスター１２１はダイオード接続となる。このため、トランジスター１２１にはドレイン電流が流れて、ゲートノードｇおよびデータ線１４を充電する。詳細には、電流が、給電線１１６→トランジスター１２１→トランジスター１２３→トランジスター１２２→（３ｊ−２）列目のデータ線１４という経路で流れる。このため、トランジスター１２１のオンによって互いに接続状態にあるデータ線１４およびゲートノードｇは、電位Ｖiniから上昇する。
ただし、上記経路に流れる電流は、ゲートノードｇが電位（Ｖel−｜Ｖth｜）に近づくにつれて流れにくくなるので、補償期間の終了に至るまでに、データ線１４およびゲートノードｇは電位（Ｖel−｜Ｖth｜）で飽和する。したがって、保持容量１３２は、補償期間の終了に至るまでにトランジスター１２１の閾値電圧｜Ｖth｜を保持することになる。
【００４４】
＜書込期間＞
初期化期間の後、（ｄ）の書込期間に至る。書込期間では、制御信号Ｇcmp(i)がＨレベルになるので、トランジスター１２１のダイオード接続が解除される一方、制御信号ＧrefがＬレベルになるので、トランジスター４３がオフになる。このため、（３ｊ−２）列目のデータ線１４からｉ行（３ｊ−２）列の画素回路１１０におけるゲートノードｇに至るまでの経路はフローティング状態になるものの、当該経路における電位は、保持容量５０、１３２によって（Ｖel−｜Ｖth｜）に維持される。
【００４５】
ｉ行目の書込期間において制御回路３は、ｊ番目のグループでいえば、データ信号Ｖd(j)を順番に、ｉ行（３ｊ−２）列、ｉ行（３ｊ−１）列、ｉ行（３ｊ）列の画素の階調レベルに応じた電位に切り替える。一方、制御回路３は、データ信号の電位の切り替えに合わせて制御信号Ｓel(1)、Ｓel(2)、Ｓel(3)を順番に排他的にＨレベルとする。制御回路３は、図４では省略しているが、制御信号Ｓel(1)、Ｓel(2)、Ｓel(3)とは論理反転の関係にある制御信号／Ｓel(1)、／Ｓel(2)、／Ｓel(3)についても出力している。これによって、デマルチプレクサ３０では、各グループにおいてトランスミッションゲート３４がそれぞれ左端列、中央列、右端列の順番でオンする。
【００４６】
ここで、左端列のトランスミッションゲート３４が制御信号Ｓel(1)、／Ｓel(1)によってオンしたとき、図８に示されるように、保持容量４４の他端であるノードｈは、初期化期間および補償期間において固定された電位Ｖrefから、データ信号Ｖd(j)の電位に、すなわちｉ行（３ｊ−２）列の画素の階調レベルに応じた電位に変化する。このときのノードｈの電位変化分をΔＶとして、変化後の電位を（Ｖref＋ΔＶ）として表すことにする。
一方、ゲートノードｇは、保持容量４４の一端にデータ線１４を介して接続されているので、補償期間における電位（Ｖel−｜Ｖth｜）から、ノードｈの電位変化分ΔＶに容量比ｋ1を乗じた値だけ、上昇方向にシフトした値（Ｖel−｜Ｖth｜＋ｋ1・ΔＶ）となる。このとき、トランジスター１２１の電圧Ｖgsで絶対値で表現すると、閾値電圧｜Ｖth｜からゲートノードｇの電位上昇したシフト分だけ減じた値（｜Ｖth｜−ｋ1・ΔＶ）となる。
なお、容量比ｋ1は、Ｃrf1/（Ｃdt＋Ｃrf1）である。厳密にいえば、保持容量１３２の容量Ｃpixも考慮しなければならないが、容量Ｃpixは、容量Ｃrf1、Ｃdtに比較して十分に小さくなるように設定しているので、無視している。
【００４７】
ｉ行目の書込期間の終了した後、１水平走査期間が終了すると発光期間に至る。この発光期間では、上述したように制御信号Ｇel(i)がＬレベルになるので、ｉ行（３ｊ−２）列の画素回路１１０においては、トランジスター１２４がオンする。ゲート・ソース間の電圧Ｖgsは、（｜Ｖth｜−ｋ1・ΔＶ）であるから、ＯＬＥＤ１３０には、先の図５に示したように、階調レベルに応じた電流がトランジスター１２１の閾値電圧を補償した状態で供給されることになる。
このような動作は、ｉ行目の走査期間において、（３ｊ−２）列目の画素回路１１０以外のｉ行目の他の画素回路１１０においても時間的に並列して実行される。さらに、このようなｉ行目の動作は、実際には、１フレームの期間において１、２、３、…、（ｍ−１）、ｍ行目の順番で実行されるとともに、フレーム毎に繰り返される。
【００４８】
本実施形態によれば、ゲートノードｇにおける電位範囲ΔＶgateは、データ信号の電位範囲ΔＶdataに対し狭められるので、データ信号を細かい精度で刻まなくても、階調レベルを反映した電圧を、トランジスター１２１のゲート・ソース間に印加することができる。このため、微細な画素回路１１０においてトランジスター１２１のゲート・ソース間の電圧Ｖgsの変化に対しＯＬＥＤ１３０に流れる微小電流が相対的に大きく変化する場合であっても、ＯＬＥＤ１３０に供給する電流を精度良く制御することが可能になる。
【００４９】
また、図３において破線で示されるようにデータ線１４と画素回路１１０におけるゲートノードｇとの間には容量Ｃprsが実際には寄生する。このため、データ線１４の電位変化幅が大きいと、当該容量Ｃprsを介してゲートノードｇに伝播し、いわゆるクロストークやムラなどが発生して表示品位を低下させてしまう。当該容量Ｃprsの影響は、画素回路１１０が微細化されたときに顕著に現れる。
これに対して、本実施形態においては、データ線１４の電位変化範囲についても、データ信号の電位範囲ΔＶdataに対し狭められるので、容量Ｃprsを介した影響を抑えることができる。
【００５０】
＜画面全体の明るさの制御＞
次に、電気光学装置１の画面全体の平均輝度の制御について説明する。本実施形態の電気光学装置１は、ｉ行目の走査線１２が選択されてから当該ｉ行目の走査線１２が次に選択されるまでの期間において、当該ｉ行目の走査線１２に接続された画素回路１１０の発光素子（ＯＬＥＤ１３０）に供給される駆動電流Ｉｄｓの電流経路に設けられたトランジスター１２４のオン／オフを繰り返すデューティ制御により、画面全体の平均輝度を調整できるように構成されている。
図９は、ｉ行目の画素回路１１０についてのデューティ制御を説明するための図であり、同図は走査信号Ｇｗｒ（ｉ）と制御信号Ｇｅｌ（ｉ）とを模式的に示したものである。デューティ制御は、図１１に示すように、制御信号Ｇｅｌ（ｉ）を櫛歯状の波形とし、制御信号Ｇｅｌ（ｉ）がアクティブ（Ｌレベル）である期間の長さを制御することにより実現される。
【００５１】
デューティ制御による平均輝度の調整態様としては、Ｖ同期デューティ制御とＨ同期デューティ制御の２つの態様が挙げられる。図１０は、ｉ番目の行についてのＶ同期デューティ制御の説明図であり、図１１はｉ番目の行についてのＨ同期デューティ制御の説明図である。Ｖ同期デューティ制御は、図１０に示すように、ｉ番目の行が選択されてから当該ｉ番目の行が選択されるまでの１フレーム期間における制御信号Ｇｅｌ（ｉ）のオンパルス数を増減させることで当該ｉ番目の行の画素回路１１０の平均輝度を調整する態様である。図１０の左側に示す制御信号Ｇｅｌ（ｉ）が調整前の状態である。調整前の状態よりも明るくする場合、制御回路３は、図１０の右上に示すように制御信号Ｇｅｌ（ｉ）のパルス数を増やすように制御する。一方、調整前の状態よりも暗くする場合、制御回路３は、図１０の右下に示すように制御信号Ｇｅｌ（ｉ）のパルス数を減らすように制御する。このように、Ｖ同期デューティ制御は、１フレーム期間におけるパルス数で平均輝度を調整する態様であるため、調整能力は走査線１２の数に依存する。例えば、走査線１２の数が７２０の場合、パルス数の最小は１、最大は７２０であり、これが調整範囲および分解能となる。
【００５２】
これに対して、Ｈ同期デューティ制御は、図１１に示すように、１水平走査期間（Ｈ）における制御信号Ｇｅｌ（ｉ）のオンパルス幅を増減させることで画素回路１１０の平均輝度を調整する態様である。図１１の左側に示す制御信号Ｇｅｌ（ｉ）が調整前の状態である。調整前の状態よりも明るくする場合、制御回路３は、図１１の右上に示すように制御信号Ｇｅｌ（ｉ）のパルス幅を広げるように制御する。一方、調整前の状態よりも暗くする場合、制御回路３は、図１１の右下に示すように制御信号Ｇｅｌ（ｉ）のパルス幅を狭めるように制御する。Ｈ同期デューティ制御は、１水平走査期間（Ｈ）におけるパルス幅で平均輝度を調整する態様であるため、パルスを生成するクロックの周波数によってその調整範囲および分解能が決まる。
【００５３】
ところで、Ｈ同期デューティ制御では、１水平走査期間内で、ＯＬＥＤ１３０の状態を発光から非発光、あるいは非発光から発光といったように切り換える。このため、各画素回路１１０のトランジスター１２４が同時にオフからオンに遷移することがある。すると、給電線１１６に大電流が流れ、電源の電位Ｖelが変動してしまう。電源電位の変動が動作期間に発生すると、画素回路１１０にデータ電圧を正確に書き込むことができず、表示ムラが発生し、表示品質が劣化してしまう。
【００５４】
そこで、本実施形態では、ＯＬＥＤ１３０の状態を発光又は非発光の一方から他方へ遷移させる場合、ＯＬＥＤ１３０の状態を図４に示す遷移期間において遷移させている。図４に示す例では、第ｉ行の走査線１２が選択されている。この時、第ｍ行の走査線１２（非選択）に対応する画素回路１１０においてトランジスター１２４を時刻ｔ１においてオフからオンに切り換え、時刻ｔ２においてオンからオフに切り換えている。時刻ｔ１及び時刻ｔ２においては、電源の電位Ｖelが変動するが、初期化、補償、及びデータの書込は実行されないので、第ｉ行のデータの書き込みには影響を与えず、表示品質を向上させることができる。
【００５５】
また、制御回路３は、Ｖ同期デューティ制御において、１フレーム期間を構成する複数の水平走査期間のうち発光素子を発光させる水平走査期間を特定する第１処理を実行する。更に、制御回路３は、Ｈ同期デューティ制御において、第１処理によって特定された水平走査期間において、トランジスター１２４をオンさせる期間を特定する第２処理とを実行する。但し、第２処理において、トランジスター１２４をオフからオンに遷移させるタイミングとトランジスター１２４をオンからオフに遷移させるタイミングを、遷移期間中に発生させる。
【００５６】
また、本実施形態において、制御回路３は、画面全体の平均輝度に応じて、第１態様の制御と第２態様の制御を切り換える。第１態様は、動作期間においてトランジスター１２４をオンさせ、遷移期間においてトランジスター１２４をオンからオフに切り換えた後にオンに戻す。第２態様は、動作期間においてトランジスター１２４をオフさせ、遷移期間においてトランジスター１２４をオフからオンに切り換えた後にオフに戻すものである。
例えば、図４に示す制御信号Ｇel（１）は、動作期間においてトランジスター１２４をオンさせ、時刻ｔ１においてトランジスター１２４をオンからオフに遷移させ、時刻ｔ２において再びオフからオンに遷移させるものである。このため、第１態様の例示となる。第１態様は動作期間を発光に割り当てるので、明るい画像の表示に好適である。第２態様は動作期間を非発光に割り当てるので、暗い画像の表示に好適である。即ち、制御回路３は、画面全体の平均輝度に応じて、第１態様と第２態様とを切り換えることが望ましい。これにより、遷移期間が、仮に、１水平走査期間（Ｈ）の半分の時間であっても、平均輝度を０％〜１００％の間で調整することが可能となる。
【００５７】
上述したように、Ｖ同期デューティ制御の調整範囲および分解能を決定する要素（走査線１２の数）とＨ同期デューティ制御の調整範囲および分解能を決定する要素（パルスを生成するクロックの周波数）は互いに独立であるため、Ｖ同期デューティ制御とＨ同期デューティ制御は各々完全に独立して実行可能である。本実施形態の電気光学装置１は、Ｖ同期デューティ制御とＨ同期デューティ制御の両方を実行可能なように構成されている。その理由は以下の通りである。
【００５８】
本実施形態における電気光学装置１は、前述したように、ヘッドマウント・ディスプレイにおいて画像を表示に使用されるマイクロ・ディスプレイである。ヘッドマウント・ディスプレイにおいては、左目用の画像を表示するマイクロ・ディスプレイと右目用の画像を表示するマイクロ・ディスプレイとがそれぞれ設けられることが一般的である。このようなヘッドマウント・ディスプレイでは、左目用の画像と右目用の画像の明るさを揃える左右調整と、左右の画像の明るさを一律で明るく或いは暗くする全体調整とをそれぞれ独立に行えることが好ましい。本実施形態の電気光学装置１は左右調整と全体調整をそれぞれ独立に行えるようにするために、上記２種類のデューティ制御を実行可能なように構成されている。例えば、電気光学装置１の制御回路３は、左右調整の実行指示を与えられた場合には、Ｖ同期デューティ制御で平均輝度の調整を行い、全体調整の実行指示を与えられた場合にはＨ同期デューティ制御で平均輝度の調整を行う、といった具合である。なお、本実施形態とは逆に左右調整をＨ同期デューティ制御で実現し、全体調整を同期デューティ制御で実現しても良い。
【００５９】
左右調整と全体調整のうち、特に左右調整については、表示ユニット（電気光学装置１）〜レンズユニット〜導光ユニットを経た出力光を左右で均一化することが重要である。このため、左右の明るさについては、これら３要素（表示ユニット、レンズユニットおよび導光ユニット）の各々の特性を加味して設定しておく必要がある。この明るさの設定については、ヘッドマウント・ディスプレイの出荷前に計測器で明るさを計測して決定しておいても良いし、左右の出力光を検出する検出素子をヘッドマウント・ディスプレイに設け、この手段による計測結果に応じて決定しておいても良い。
【００６０】
本実施形態によれば、選択行の画素回路１１０について、動作期間に、発光素子がオンからオフまたはオフからオンに切り替えられることはない。このため、本実施形態によれば、ＯＬＥＤ１３０をオンからオフまたはオフからオンへ切り換えることによって電源の電位変動が発生したとしても、データ電圧のずれの発生が回避され、当該データ電圧のずれに起因するムラの発生を回避することができる。つまり、本実施形態によれば、データ信号が供給される素子の発光のオン／オフに起因する電位変動の影響を抑制し、表示品位を向上することができる。なお、Ｇｅｌ調整範囲としてどの程度の時間長の時間区間を確保できるかは、１水平走査期間（Ｈ）、初期化期間、補償期間および書き込み期間の各々の時間長に応じて定まるが、１水平走査期間（Ｈ）の時間長の４０％程度の時間長を確保できれば、画素回路１１０について０〜１００％の平均輝度を確保できると考えられる。
【００６１】
＜第２実施形態＞
上記第１実施形態では、１水平走査期間（Ｈ）のうち、遷移期間において、発光行の発光素子を発光状態から非発光状態へ或いは非発光状態から発光状態へ遷移させることで、選択行におけるデータ書き込みに悪影響が発生することを回避し、表示品位の向上を実現させた。しかし、全ての発光行の発光素子を同じタイミングで発光状態から非発光状態へ或いは非発光状態から発光状態へ遷移させると、大きな電位変動が生じ、次の水平走査期間（Ｈ）の選択行における閾値電圧Ｖthの補償期間の開始までに電源電位が復旧せず、表示品位の低下を招く虞がある。
【００６２】
そこで、本実施形態では、表示部１００に含まれる複数の画素回路１１０を複数のグループにグループ分けし、遷移期間においてグループ毎に発光素子を発光状態から非発光状態へ或いは非発光状態から発光状態へ遷移させるタイミングを異ならせる点を除いて、第１実施形態の電気光学装置１と同様に構成されている。
【００６３】
図１２は、本実施形態による画素回路１１０のグループ分けの一例を示す図である。図１２に示すように、本実施形態では、表示部１００に含まれる複数の画素回路１１０は、列方向にグループ１〜グループ４の４つのグループにグループ分けされている。図１３は、各グループに属する画素回路１１０に与える制御信号Ｇｅｌの立ち上げおよび立ち下げタイミングの一例を示す図である。図１３に示すように、本実施形態では、グループ毎に異なるタイミングで制御信号Ｇｅｌの立ち上げおよび立ち下げが行われるため、電位変動のピークが分散し、表示品位の低下を回避することができる。
但し、全てのグループで、発光時間と非発光時間との割合は一定となっている。また、トランジスター１２４がオン又はオフの一方から他方へ遷移するのは、遷移期間に限られており、動作期間では遷移させない。
【００６４】
本実施形態では、表示部１００に含まれる複数の画素回路１１０を４つのグループにグループ分けする場合について説明したが、２または３、或いは５つ以上のグループにグループ分けしても良く、また、グループ内で当該グループに属する画素回路１１０が列方向に連続して並んでいる必要もない。例えば、２つのグループにグループ分けする態様としては、奇数番目の走査線１２に接続された画素回路１１０のグループと偶数番目の走査線１２に接続された画素回路１１０のグループにグループ分けする態様が考えられる。
【００６５】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００６６】
＜変形例１＞
上述した第２実施形態では、表示部１００に含まれる複数の画素回路１１０を複数のグループにグループ分けし、グループ毎に遷移期間における制御信号Ｇｅｌの立ち上或いは立ち下げタイミングを異ならせる場合について説明した。しかし。発光素子の発光／非発光の切り替えに起因する電位変動のピークが十分に分散され、Ｖth補償やデータ書き込みに悪影響を及ぼさないのであれば、制御信号Ｇｅｌの立ち上或いは立ち下げタイミングを遷移範囲に限定する必要はない。要は、表示部１００に含まれる複数の画素回路１１０を複数のグループにグループ分けし、グループ毎に発光素子をオンからオフにするタイミングまたはオフからオンにするタイミングが異なっていれば良い。
【００６７】
＜変形例２＞
上述した実施形態では、データ線１４を３列毎にブロック化するとともに、各ブロックにおいてデータ線１４を順番に選択して、データ信号を供給する構成としたが、グループを構成するデータ線数は、「２」以上「３ｎ」以下の所定数であればよい。例えば、グループを構成するデータ線数は、「２」であっても良いし、「４」以上であっても良い。
また、グループ化せずに、すなわちデマルチプレクサ３０を用いないで各列のデータ線１４にデータ信号を一斉に線順次で供給する構成でも良い。
【００６８】
＜変形例３＞
上述した実施形態では、トランジスター１２１〜１２５をＰチャネル型で統一したが、Ｎチャネル型で統一しても良い。また、Ｐチャネル型及びＮチャネル型を適宜組み合わせても良い。
例えば、トランジスター１２１〜１２５をＮチャネル型で統一する場合、上述した実施形態における、データ信号Ｖd(n)とは、正負が逆転した電位を、各画素回路１１０に供給すればよい。また、この場合、トランジスター１２１〜１２５のソース及びドレインは、上述した実施形態及び変形例とは逆転した関係となる。
【００６９】
＜変形例４＞
上述した実施形態及び変形例では、電気光学素子として発光素子であるＯＬＥＤを例示したが、例えば無機発光ダイオードやＬＥＤ（Light Emitting Diode）など、電流に応じた輝度で発光するものであれば良い。
＜変形例５＞
上述した実施形態及び変形例では、データ転送回路４０を用いて、電荷を画素回路１１０に転送することによって、データを画素回路１１０に書き込んだが、本発明はこれに限定されるものではない。また、画素回路１１０は、５個のトランジスター１２１〜１２５で構成されたが、本発明はこれに限定されるものではなく、トランジスター１２３、トランジスター１２５は適宜省略してもよい。つまり、書込用のトランジスター１２２、駆動用のトランジスター１２１、発光制御用のトランジスター１２４を備えるものであってもよい。
【００７０】
＜応用例＞
次に、実施形態等や応用例に係る電気光学装置１を適用した電子機器について説明する。電気光学装置１は、画素が小サイズで高精細な表示な用途に向いている。そこで、電子機器として、ヘッドマウント・ディスプレイを例に挙げて説明する。
【００７１】
図１４は、本発明に係る電気光学装置がヘッドマウント・ディスプレイに適用された様子を示す概略図である。図１４に示すように、本実施形態のヘッドマウント・ディスプレイ２００は、ユーザーの頭部の前方に位置するフロントフレーム２１０と、フロントフレーム２１０の両端に接続され頭部の両側方に位置する一対のサイドフレーム２２０と、フロントフレーム２１０に固定され眼前を覆う光学パネル２５０と、それぞれのサイドフレーム２２０に固定される回路カバー２３０と、電気光学装置２７０と、を備える。
【００７２】
本実施形態の電気光学装置２７０は、表示パネルの数が２つとされる。また、制御回路３として、輝度バランス調整入力部５１及び全体明るさ調整入力部５２を備える点を除いて、第１実施形態の電気光学装置１と同じ構成とされる。
一対の表示パネルＤＩ１，ＤＩ２は、光学パネル２５０内に配置され、表示パネルＤＩ１が左眼の眼前に配置され、表示パネルＤＩ２が右眼の眼前に配置される。これらの表示パネルＤＩ１，ＤＩ２から出射する光は光学パネル２５０から出射される。一方の表示パネルＤＩ１はユーザーの左眼で視認され、他方の表示パネルＤＩ２はユーザーの右眼で視認される。
【００７３】
また、本実施形態のヘッドマウント・ディスプレイ２００では、一方のサイドフレーム２
２０に輝度バランス調整入力部５１が操作可能に設けられており、他方のサイドフレーム
２２０に全体明るさ調整入力部５２が操作可能に設けられている。輝度バランス調整入力部５１は上述したＨ同期デューティ制御を実行し、全体明るさ調整入力部５２は上述したＶ同期デューティ制御を実行する。また、本実施形態のヘッドマウント・ディスプレイ２００では、一方のサイドフレーム２２０に固定される回路カバー２３０内に制御回路３が配置され、他方のサイドフレーム２２０に固定される回路カバー２３０内に電源回路ＤＣが配置される。ただし、これらの配置は適宜変更可能である。
【００７４】
一般的にヘッドマウント・ディスプレイにおいては、ユーザーにより視認される画像の明るさを変更したいという要求がある。このような要求に対して、本実施形態のヘッドマウント・ディスプレイ２００によれば、電気光学装置２の全体明るさを第１実施形態の説明と同様に変更することで、画像の明るさを変更することができる。また、表示パネルＤＩ１、ＤＩ２が一対とされ、一方の表示パネルＤＩ１が人の一方の眼から視認され、他方の表示部ＤＩ２が人の他方の眼から視認される場合、それぞれの表示パネルＤＩ１，ＤＩ２の輝度が異なるとユーザーが違和感を覚える傾向にあり、左右の表示パネルＤＩ１，ＤＩ２の輝度の調整を行いたいという要求がある。このような要求に対し、本実施形態のヘッドマウント・ディスプレイ２００によれば、電気光学装置２７０において、第１実施形態での説明と同様にして、左右の表示パネルＤＩ１，ＤＩ２間の輝度バランスの調整を行うことができる。そして、上記の画像の明るさの変更と、左右の表示パネルＤＩ１，ＤＩ２間の輝度バランスの調整とを独立して行うことができる。
【００７５】
図１５は、本発明に係る電気光学装置がプロジェクタに適用された様子を示す概略図である。図１５に示すようにプロジェクタ３００は、筐体３５０と、電気光学装置３７０と、ダイクロイックプリズム３１０と、投影レンズ３２０とを備える。
【００７６】
本実施形態の電気光学装置３７０は、表示パネルの数が３つとされる。また、制御回路３として、輝度バランス調整入力部５１及び全体明るさ調整入力部５２を備える点を除いて、第１実施形態の電気光学装置１と同じ構成とされる。
各表示パネルＤＩ１，ＤＩ２，ＤＩ３は筐体３５０内に配置され、表示パネルＤＩ１，ＤＩ２，ＤＩ３の各画素アレイＰＡは、単色の画素Ｐを備える。本実施形態では、表示パネルＤＩ１は赤色の画像を表示し、表示パネルＤＩ２は緑色の画像を表示し、表示部ＤＩ３は青色の画像を表示する。また、それぞれの表示パネルＤＩ１，ＤＩ２，ＤＩ３は、互いに隣り合う表示部の光の出射方向が概ね９０度となるように配置され、本実施形態では、表示パネルＤＩ１と表示パネルＤＩ２とが隣り合い、表示パネルＤＩ２と表示部ＤＩ３
とが隣り合い、表示パネルＤＩ１と表示部ＤＩ３とが対向して配置される。
【００７７】
各表示パネルＤＩ１，ＤＩ２，ＤＩ３に囲まれる位置にはダイクロイックプリズム３１０が配置され、各表示パネルＤＩ１，ＤＩ２，ＤＩ３とダイクロイックプリズム３１０の側面である光入射面とが対向している。また、ダイクロイックプリズム３１０の光の出射面側には投影レンズ３２０が配置され、投影レンズ３２０を介して筐体３５０の中の光が筐体３５０の外へ出射することができる。なお、投影レンズ３２０は、１枚のレンズで構成されても、複数のレンズで構成されても良い。
【００７８】
また、筐体３５０の外側には、輝度バランス調整入力部５１及び全体明るさ調整入力部
５２が操作可能に設けられている。このプロジェクタ３００の使用時において、表示パネルＤＩ１から出射する赤色の光と、表示パネルＤＩ２から出射する緑色の光と、表示パネルＤＩ３から出射する青色の光とが互いに重ね合わされ、赤色の画像と緑色の画像と青色の画像とが重なるカラーの画像が、スクリーン３３０に映し出される。なお、このスクリーン３３０は、光透過型であっても、光反射型のスクリーンであっても良い。
【００７９】
プロジェクタ３００の使用に際し、プロジェクタ３００を使用する部屋の明るさに応じ
て、プロジェクタ３００から出射する光の明るさを変更したいという要求がある。この要
求に対して、本実施形態のプロジェクタ３００によれば、電気光学装置３７０の全体明るさを第１実施形態での説明と同様にして変更することで、プロジェクタ３００から出射する光の明るさを変更することができる。また、本実施形態のプロジェクタ３００のようにカラー画像を映し出すものにおいては、ホワイトバランスを調整したいという要求がある。この要求に対し、本実施形態のプロジェクタ３００によれば、第１実施形態での説明と同様にして、電気光学装置３７０の３つの表示パネルＤＩ１，ＤＩ２，ＤＩ３間の輝度バランスを調整することにより、赤、緑、青の輝度バランスを調整でき、ホワイトバランスを調整することができる。そして、プロジェクタ３００から出射する光の明るさの変更と、ホワイトバランスの調整とを独立して行うことができる。
【００８０】
なお、本実施形態では、表示パネルＤＩ１，ＤＩ２，ＤＩ３として、上述したように赤、緑、青の特定の色のみを発光するものに限定されることなく、他の色を発光するものであっても良い。
【００８１】
また、上記実施形態では、各表示パネルＤＩ１，ＤＩ２，ＤＩ３が赤、緑、青の画像を表示する場合について説明したが、それぞれの各表示パネルＤＩ１，ＤＩ２，ＤＩ３が画像を表示せず、各表示パネルＤＩ１，ＤＩ２，ＤＩ３が赤、緑、青の光源となっても良い。この場合、各表示パネルＤＩ１，ＤＩ２，ＤＩ３の前に液晶パネル等を配置して、当該液晶パネルにより、各表示パネルＤＩ１，ＤＩ２，ＤＩ３から出射する光に基づいて画像を表示しても良い。
【００８２】
なお、電気光学装置１については、ヘッドマウント・ディスプレイ２００のほかにも、ビデオカメラやレンズ交換式のデジタルカメラなどにおける電子式ビューファインダー、タブレット端末などの携帯情報端末や腕時計、プロジェクタにおける情報表示部にも適用可能である。また、上記実施形態では、ヘッドマウント・ディスプレイにおける左右調整への本発明の適用例を説明した、全体調整をＨ同期デューティ制御で実現し、この全体調整に本発明を適用しても良い。また、例えば３枚のパネル映像を合成して表示する３板プロジェクタにおける「各パネル調整」（パネル毎の明るさの調整）或いは「全体調整」（３枚のパネル全体での明るさの調整）に本発明を適用しても良い。例えば、「全体調整」をＶ同期デューティ制御で実現する一方、「各パネル調整」をＨ同期デューティ制御で実現し、このＨ同期デューティ制御に本発明を適用する、といった具合である。さらに電気光学装置１を１つだけ含む電子機器における「個体ばらつき調整」或いは「製品使用時の明るさ調整」に本発明を適用しても良い。例えば、「製品使用時の明るさ調整」をＶ同期デューティ制御で実現する一方、「個体ばらつき調整」をＨ同期デューティ制御で実現し、このＨ同期デューティ制御に本発明を適用する、といった具合である。
【符号の説明】
【００８３】
１、２７０、３７０…電気光学装置、１０…表示パネル、３…制御回路、５…データ転送線駆動回路、２０…走査線駆動回路、１２…走査線、１４…データ線、１６…給電線、３０…デマルチプレクサ、７０…データ信号供給回路、１１０…画素回路、１１６…給電線、１２１、１２２，１２３，１２４，１２５…トランジスター、１３０…ＯＬＥＤ、１３２…保持容量、２００…ヘッドマウント・ディスプレイ、３００…プロジェクタ。
【図１】
2018081178.tif 000003
【図２】
2018081178.tif 000004
【図３】
2018081178.tif 000005
【図４】
2018081178.tif 000006
【図５】
2018081178.tif 000007
【図６】
2018081178.tif 000008
【図７】
2018081178.tif 000009
【図８】
2018081178.tif 000010
【図９】
2018081178.tif 000011
【図１０】
2018081178.tif 000012
【図１１】
2018081178.tif 000013
【図１２】
2018081178.tif 000014
【図１３】
2018081178.tif 000015
【図１４】
2018081178.tif 000016
【図１５】
2018081178.tif 000017